(57)【特許請求の範囲】
【請求項１】
間欠受信（ＤＲＸ）メカニズムにおいてデータを伝送するために用いられるデータ伝送方法であって、
端末がＤＲＸアクティブ期間において、無線アクセスネットワーク（ＲＡＮ）デバイスによって送信された第１の付与情報を得るよう物理ダウンリンク制御チャネル（ＰＤＣＣＨ）を監視するステップであって、前記第１の付与情報は、第１のデータに対して初期伝送付与を実行するために用いられる、ステップと、
前記端末が再送アクティブ時間において、前記ＲＡＮデバイスによって送信された第２の付与情報を受信するステップであって、前記第２の付与情報は、第２のデータに対して初期伝送付与を実行するために用いられ、前記再送アクティブ時間は、前記端末が前記第１のデータの再送付与を受信する予定であるアクティブ時間である、ステップと、
前記端末が、前記第２の付与情報の受信の後のアクティベーション延長時間においてアクティブ状態を維持するステップと、
を含む方法。
【請求項２】
前記第１のデータは空である、
請求項１に記載の方法。
【請求項３】
前記第１の付与情報は、前記第１のデータに対してアップリンク初期伝送付与を実行するために用いられ、前記再送アクティブ時間はアップリンク再送アクティブ時間を含み、
前記アップリンク再送アクティブ時間は、前記端末が前記第１のデータのアップリンク再送付与を受信する予定であるアクティブ時間である、
請求項１又は２に記載の方法。
【請求項４】
前記端末が前記ＲＡＮデバイスによって送信された前記第１の付与情報を受信した後、前記端末が前記ＲＡＮデバイスによって送信された前記第２の付与情報を受信する前に、
前記端末が、前記第１の付与情報に従って、前記ＲＡＮデバイスに前記第１のデータを送信するステップと、
更に、前記端末が前記アップリンク再送アクティブ時間において、前記ＲＡＮデバイスによって送信されたフィードバック情報を受信するステップであって、前記フィードバック情報は、前記ＲＡＮデバイスによる前記第１のデータの受信状況をフィードバックするために用いられ、前記フィードバック情報はＡＣＫである、ステップと、
を更に含む、請求項３に記載の方法。
【請求項５】
前記第１の付与情報は、前記第１のデータに対してダウンリンク初期伝送付与を実行するために用いられ、前記再送アクティブ時間はダウンリンク再送アクティブ時間を含み、
前記ダウンリンク再送アクティブ時間は、前記端末が前記第１のデータのダウンリンク再送付与を受信する予定であるアクティブ時間である、
請求項１乃至４のいずれか一項に記載の方法。
【請求項６】
前記端末が前記ＲＡＮデバイスによって送信された前記第１の付与情報を受信した後、前記端末が前記ＲＡＮデバイスによって送信された前記第２の付与情報を受信する前に、
前記端末が、前記ＲＡＮデバイスによって送信された前記第１のデータを受信するステップと、
前記端末が、前記ＲＡＮデバイスにフィードバック情報を送信するステップであって、前記フィードバック情報は、前記端末による前記第１のデータの受信状況をフィードバックするために用いられ、前記フィードバック情報はＮＡＣＫである、ステップと、
を更に含む、請求項５に記載の方法。
【請求項７】
前記ダウンリンク再送アクティブ時間は、ＤＲＸ再送タイマーに従って決定される、
請求項５又は６に記載の方法。
【請求項８】
前記アクティベーション延長時間は、ＤＲＸ非アクティブタイマーに従って決定される、
請求項１乃至７のいずれか一項に記載の方法。
【請求項９】
間欠受信（ＤＲＸ）メカニズムにおいてデータを伝送するために用いられるデータ伝送方法であって、
無線アクセスネットワーク（ＲＡＮ）デバイスが、ＤＲＸアクティブ期間において、端末に第１の付与情報を送信するステップであって、前記第１の付与情報は、第１のデータに対して初期伝送付与を実行するために用いられる、ステップと、
前記ＲＡＮデバイスが再送アクティブ時間を決定するステップであって、前記再送アクティブ時間は、前記端末が前記第１のデータの再送付与を受信する予定であるアクティブ時間である、ステップと、
前記ＲＡＮデバイスが、前記再送アクティブ時間において、前記端末に第２の付与情報を送信するステップであって、前記第２の付与情報は、第２のデータに対して初期伝送付与を実行するために用いられる、ステップと、
を含む方法。
【請求項１０】
間欠受信（ＤＲＸ）メカニズムにおいてデータを伝送するように構成されるデバイスであって、
ＤＲＸアクティブ期間において、無線アクセスネットワーク（ＲＡＮ）デバイスによって送信された第１の付与情報を得るよう物理ダウンリンク制御チャネル（ＰＤＣＣＨ）を監視するための手段であって、前記第１の付与情報は、第１のデータに対して初期伝送付与を実行するために用いられる、手段と、
再送アクティブ時間において、前記ＲＡＮデバイスによって送信された第２の付与情報を受信するための手段であって、前記第２の付与情報は、第２のデータに対して初期伝送付与を実行するために用いられ、前記再送アクティブ時間は、端末が前記第１のデータの再送付与を受信する予定であるアクティブ時間である、手段と、
前記第２の付与情報の受信の後のアクティベーション延長時間においてアクティブ状態を維持するための手段と、
を備えるデバイス。
【請求項１１】
前記第１のデータは空である、
請求項１０に記載のデバイス。
【請求項１２】
前記第１の付与情報は、前記第１のデータに対してアップリンク初期伝送付与を実行するために用いられ、前記再送アクティブ時間はアップリンク再送アクティブ時間を含み、
前記アップリンク再送アクティブ時間は、前記端末が前記第１のデータのアップリンク再送付与を受信する予定であるアクティブ時間である、
請求項１０又は１１に記載のデバイス。
【請求項１３】
前記第１の付与情報に従って、前記ＲＡＮデバイスに前記第１のデータを送信するための手段と、
前記アップリンク再送アクティブ時間において、前記ＲＡＮデバイスによって送信されたフィードバック情報を受信するための手段であって、前記フィードバック情報は、前記ＲＡＮデバイスによる前記第１のデータの受信状況をフィードバックするために用いられ、前記フィードバック情報はＡＣＫである、手段と、
を更に備える、請求項１２に記載のデバイス。
【請求項１４】
前記第１の付与情報は、前記第１のデータに対してダウンリンク初期伝送付与を実行するために用いられ、前記再送アクティブ時間はダウンリンク再送アクティブ時間を含み、
前記ダウンリンク再送アクティブ時間は、前記端末が前記第１のデータのダウンリンク再送付与を受信する予定であるアクティブ時間である、
請求項１０乃至１３のいずれか一項に記載のデバイス。
【請求項１５】
前記ＲＡＮデバイスによって送信された前記第１のデータを受信するための手段と、
前記ＲＡＮデバイスにフィードバック情報を送信するための手段であって、前記フィードバック情報は、前記端末による前記第１のデータの受信状況をフィードバックするために用いられ、前記フィードバック情報はＮＡＣＫである、手段と、
を更に備える、請求項１４に記載のデバイス。
【請求項１６】
前記ダウンリンク再送アクティブ時間は、ＤＲＸ再送タイマーに従って決定される、
請求項１４又は１５に記載のデバイス。
【請求項１７】
前記アクティベーション延長時間は、ＤＲＸ非アクティブタイマーに従って決定される、
請求項１０乃至１６のいずれか一項に記載のデバイス。
【請求項１８】
請求項１０乃至１７のいずれか一項に記載のデバイスを備える端末。
【請求項１９】
間欠受信（ＤＲＸ）メカニズムにおいてデータを伝送するように構成される無線アクセスネットワーク（ＲＡＮ）デバイスであって、
物理ダウンリンク制御チャネル（ＰＤＣＣＨ）上で、ＤＲＸアクティブ期間において、端末に第１の付与情報を送信するように構成される通信ユニットであって、前記第１の付与情報は、第１のデータに対して初期伝送付与を実行するために用いられる、通信ユニットと、
再送アクティブ時間を決定するように構成される決定ユニットであって、前記再送アクティブ時間は、前記端末が前記第１のデータの再送付与を受信する予定であるアクティブ時間である、決定ユニットと、
を備え、
前記通信ユニットは更に、前記再送アクティブ時間において、前記端末に第２の付与情報を送信するように構成され、前記第２の付与情報は、第２のデータに対して初期伝送付与を実行するために用いられ、前記端末が前記第２の付与情報の受信の後のアクティベーション延長時間においてアクティブ状態を維持するようにする、
ＲＡＮデバイス。
【請求項２０】
前記通信ユニットは、次の条件のうち１つ又は任意の組合わせを満たすとき、前記端末に前記第１の付与情報を送信するように構成され、前記条件は、
前記通信ユニットが送信されるべきダウンリンクデータを有する場合であって、前記第１の付与情報は、前記送信されるべきダウンリンクデータに対して初期伝送付与を実行するために用いられる場合と、
前記通信ユニットが送信されるべきダウンリンクデータがあると予測した場合であって、前記第１のデータは空であり、前記第２のデータは予測された送信されるべきダウンリンクデータである場合と、
前記通信ユニットが前記端末によって送信されたＳＲを受信する場合であって、前記第１の付与情報は、送信されるべきアップリンクデータに対して初期伝送付与を実行するために用いられる場合と、
前記通信ユニットによって維持される前記端末のバッファ状態レポート（ＢＳＲ）が非空である場合であって、前記第１の付与情報は、前記端末のバッファにおいて、送信されるべきアップリンクデータに対して初期伝送付与を実行するために用いられる場合と、
前記通信ユニットが、前記端末が送信されるべきアップリンクデータを有する予定であると予測した場合であって、前記第１のデータは空であり、前記第２のデータは予測された前記送信されるべきアップリンクデータである場合と、
を含む、請求項１９に記載のＲＡＮデバイス。
【請求項２１】
前記決定ユニットは、タイミング関係に従って前記再送アクティブ時間を決定するように構成される、
請求項１９又は２０に記載のＲＡＮデバイス。
【請求項２２】
前記第１の付与情報は、前記第１のデータに対してアップリンク初期伝送付与を実行するために用いられ、前記再送アクティブ時間はアップリンク再送アクティブ時間を含み、
前記アップリンク再送アクティブ時間は、前記端末が前記第１のデータのアップリンク再送付与を受信する予定であるアクティブ時間である、
請求項１９乃至２１のいずれか一項に記載のＲＡＮデバイス。
【請求項２３】
前記通信ユニットは、更に、
前記第１の付与情報を送信した後、前記第２の付与情報を送信する前に、前記第１の付与情報に従って、前記端末によって送信された前記第１のデータを受信するように構成され、
前記アップリンク再送アクティブ時間においてフィードバック情報を送信するように構成され、前記フィードバック情報は、前記通信ユニットによる前記第１のデータの受信状況をフィードバックするために用いられ、前記フィードバック情報はＡＣＫである、
請求項２２に記載のＲＡＮデバイス。
【請求項２４】
前記第１の付与情報は、前記第１のデータに対してダウンリンク初期伝送付与を実行するために用いられ、前記再送アクティブ時間はダウンリンク再送アクティブ時間を含み、
前記ダウンリンク再送アクティブ時間は、前記端末が前記第１のデータのダウンリンク再送付与を受信する予定であるアクティブ時間である、
請求項１９乃至２３のいずれか一項に記載のＲＡＮデバイス。
【請求項２５】
前記通信ユニットは、更に、
前記第２の付与情報を送信する前、前記ダウンリンク再送アクティブ時間において、前記端末に前記第１のデータを送信するように構成され、
前記端末によって送信されたフィードバック情報を受信するように構成され、前記フィードバック情報は、前記端末による前記第１のデータの受信状況をフィードバックするために用いられ、前記フィードバック情報はＮＡＣＫである、
請求項２４に記載のＲＡＮデバイス。
【請求項２６】
前記ダウンリンク再送アクティブ時間は、ＤＲＸ再送タイマーに従って決定される、
請求項２４又は２５に記載のＲＡＮデバイス。
【請求項２７】
前記アクティベーション延長時間は、ＤＲＸ非アクティブタイマーに従って決定される、
請求項１９乃至２６のいずれか一項に記載のＲＡＮデバイス。
【請求項２８】
コンピュータに請求項１乃至９のいずれか一項に記載の方法を実行させるプログラム。
【請求項２９】
請求項２８に記載のプログラムを記憶したコンピュータ可読記憶媒体。
【発明の詳細な説明】
【技術分野】
【０００１】
本発明は通信技術の分野に関し、特に、データ伝送方法、端末及びＲＡＮデバイスに関する。
【背景技術】
【０００２】
移動通信技術の発達により、インテリジェント端末がますます普及し、端末が処理できるサービスがますます豊富になっている。しかしながら、端末の電力消費も継続的に増加する。端末の省電力性能を向上させるために、間欠受信（Discontinuous  Reception，ＤＲＸ）技術が導入されている。
【０００３】
パケットのデータストリームは、一般にバーストモードで発生する。ある期間にはデータ伝送があるが、次の期間にはデータ伝送がない。ＤＲＸ技術はこれに基づく。ＤＲＸサイクル（ｃｙｃｌｅ）が構成される。図１に示されるように、ＤＲＸサイクルは、アクティブ期間（On  Duration，ＯＤ）とスリープ期間（Opportunity  for  DRX）の２つの期間を含む。
【０００４】
端末と無線アクセスネットワーク（Radio  Access  Network，ＲＡＮ）デバイスは、同じＤＲＸサイクルを維持することができる。端末は、アクティブ期間に物理ダウンリンク制御チャネル（Physical  Downlink  Control  Channel，ＰＤＣＣＨ）をリッスンし、ＰＤＣＣＨで搬送される様々なスケジューリングその他の制御情報を受信する。端末は、電力消費を低減するために、スリープ期間ではＰＤＣＣＨをリッスンしない。
【０００５】
端末はスリープ期間にＰＤＣＣＨをリッスンしないので、無線アクセスデバイスは、スリープ期間にスケジューリング付与を実行せず、次のアクティブ期間にスケジューリング付与を実行する。したがって、データ伝送の遅延が増大する。特に、遅延に敏感な音声サービスなどのサービスでは、この遅延はユーザエクスペリエンスに影響する。
【発明の概要】
【０００６】
本発明の実施形態は、従来技術のＤＲＸメカニズムにおけるデータ伝送遅延の問題を解決するために、データ伝送方法、端末及びＲＡＮデバイスを提供する。
【０００７】
第１の態様によれば、データ伝送方法は、間欠受信（ＤＲＸ）メカニズムにおいてデータを伝送するために用いられる。本方法は、
端末がＤＲＸアクティブ期間において、無線アクセスネットワーク（ＲＡＮ）デバイスによって送信された第１の付与情報を受信するステップであって、第１の付与情報は、第１のデータに対して初期伝送付与を実行するために用いられる、ステップと、
端末が再送アクティブ時間において、ＲＡＮデバイスによって送信された第２の付与情報を受信するステップであって、第２の付与情報は、第２のデータに対して初期伝送付与を実行するために用いられ、再送アクティブ時間は、端末が第１のデータの再送付与を受信する予定であるアクティブ時間である、ステップと、
端末が、第２の付与情報の受信の後のアクティベーション延長時間においてアクティブ状態を維持するステップと、
を含む。
【０００８】
第１の態様に関して、第１の態様の第１の可能な実施方式では、第１のデータは空である。
【０００９】
第１の態様又は第１の態様の第１の可能な実施方式に関して、第１の態様の第２の可能な実施方式では、第１の付与情報は、第１のデータに対してアップリンク初期伝送付与を実行するために用いられ、再送アクティブ時間はアップリンク再送アクティブ時間を含む。アップリンク再送アクティブ時間は、端末が第１のデータのアップリンク再送付与を受信する予定であるアクティブ時間である。
【００１０】
第１の態様の第２の可能な実施方式に関して、第１の態様の第３の可能な実施方式では、端末がＲＡＮデバイスによって送信された第１の付与情報を受信した後、端末がＲＡＮデバイスによって送信された第２の付与情報を受信する前に、本方法は更に、
端末が、第１の付与情報に従って、ＲＡＮデバイスに第１のデータを送信するステップと、
更に、端末がアップリンク再送アクティブ時間において、ＲＡＮデバイスによって送信されたフィードバック情報を受信するステップであって、フィードバック情報は、ＲＡＮデバイスによる第１のデータの受信状況をフィードバックするために用いられ、フィードバック情報はＡＣＫである、ステップと、
を含む。
【００１１】
第１の態様又は第１の態様の第１〜第３の可能な実施方式のうちいずれか１つに関して、第１の態様の第４の可能な実施方式では、第１の付与情報は、第１のデータに対してダウンリンク初期伝送付与を実行するために用いられ、再送アクティブ時間はダウンリンク再送アクティブ時間を含む。ダウンリンク再送アクティブ時間は、端末が第１のデータのダウンリンク再送付与を受信する予定であるアクティブ時間である。
【００１２】
第１の態様の第４の可能な実施方式に関して、第１の態様の第５の可能な実施方式では、端末がＲＡＮデバイスによって送信された第１の付与情報を受信した後、端末がＲＡＮデバイスによって送信された第２の付与情報を受信する前に、本方法は更に、
端末が、ＲＡＮデバイスによって送信された第１のデータを受信するステップと、
端末が、ＲＡＮデバイスにフィードバック情報を送信するステップであって、フィードバック情報は、端末による第１のデータの受信状況をフィードバックするために用いられ、フィードバック情報はＮＡＣＫである、ステップと、
を含む。
【００１３】
第１の態様の第４又は第５の可能な実施方式に関して、第１の態様の第６の可能な実施方式では、ダウンリンク再送アクティブ時間は、ＤＲＸ再送タイマー（drx-Retransmission  Timer）に従って決定される。
【００１４】
第１の態様又は第１の態様の第１〜第６の可能な実施方式のうちいずれか１つに関して、第１の態様の第７の可能な実施方式では、アクティベーション延長時間は、ＤＲＸ非アクティブタイマー（drx-Inactivity  Timer）に従って決定される。
【００１５】
第２の態様によれば、データ伝送方法が提供され、間欠受信（ＤＲＸ）メカニズムにおいてデータを伝送するために用いられる。本方法は、
無線アクセスネットワーク（ＲＡＮ）デバイスが、ＤＲＸアクティブ期間において、端末に第１の付与情報を送信するステップであって、第１の付与情報は、第１のデータに対して初期伝送付与を実行するために用いられる、ステップと、
ＲＡＮデバイスが再送アクティブ時間を決定するステップであって、再送アクティブ時間は、端末が第１のデータの再送付与を受信する予定であるアクティブ時間である、ステップと、
ＲＡＮデバイスが、再送アクティブ時間において、端末に第２の付与情報を送信するステップであって、第２の付与情報は、第２のデータに対して初期伝送付与を実行するために用いられる、ステップと、
を含む。
【００１６】
第２の態様に関して、第２の態様の第１の可能な実施方式では、ＲＡＮデバイスが端末に第１の付与情報を送信するステップは、
送信されるべきダウンリンクデータを有するとき、ＲＡＮデバイスが、端末に第１の付与情報を送信するステップであって、第１の付与情報は、送信されるべきダウンリンクデータに対して初期伝送付与を実行するために用いられる、ステップと、
ダウンリンクデータが送信されることを予測したとき、ＲＡＮデバイスが、端末に第１の付与情報を送信するステップであって、第１のデータは空であり、第２のデータは予測された送信されるべきダウンリンクデータである、ステップと、
ＲＡＮデバイスが、端末によって送信されたＳＲを受信したとき、端末に第１の付与情報を送信するステップであって、第１の付与情報は、送信されるべきアップリンクデータに対して初期伝送付与を実行するために用いられる、ステップと、
ＲＡＮデバイスが、ＲＡＮデバイスによって維持される端末のバッファ状態レポート（ＢＳＲ）が非空であるとき、端末に第１の付与情報を送信するステップであって、第１の付与情報は、端末のバッファにおいて、送信されるべきアップリンクデータに対して初期伝送付与を実行するために用いられる、ステップと、
ＲＡＮデバイスが、端末が送信されるべきアップリンクデータを有する予定であることを予測するとき、端末に第１の付与情報を送信するステップであって、第１のデータは空であり、第２のデータは予測された送信されるべきアップリンクデータである、ステップと、
のうち１つ又は任意の組合わせを含む。
【００１７】
第２の態様又は第２の態様の第１の可能な実施方式に関して、第２の態様の第２の可能な実施方式では、ＲＡＮデバイスは、タイミング関係に従って再送アクティブ時間を決定する。
【００１８】
第２の態様又は第２の態様の第１の可能な実施方式と第２の可能な実施方式のいずれかに関して、第２の態様の第３の可能な実施方式では、第１の付与情報は、第１のデータに対してアップリンク初期伝送付与を実行するために用いられ、再送アクティブ時間はアップリンク再送アクティブ時間を含む。アップリンク再送アクティブ時間は、端末が第１のデータのアップリンク再送付与を受信する予定であるアクティブ時間である。
【００１９】
第２の態様の第３の可能な実施方式に関して、第２の態様の第４の可能な実施方式では、ＲＡＮデバイスが第１の付与情報を送信した後、ＲＡＮデバイスが第２の付与情報を送信する前に、本方法は更に、
第１の付与情報に従って、端末によって送信された第１のデータを受信するステップと、
更に、ＲＡＮデバイスが、アップリンク再送アクティブ時間においてフィードバック情報を送信するステップであって、フィードバック情報は、ＲＡＮデバイスによる第１のデータの受信状況をフィードバックするために用いられ、フィードバック情報はＡＣＫである、ステップと、
を含む。
【００２０】
第２の態様又は第２の態様の第１〜第４の可能な実施方式のうちいずれか１つに関して、第２の態様の第５の可能な実施方式では、第１の付与情報は、第１のデータに対してダウンリンク初期伝送付与を実行するために用いられ、再送アクティブ時間はダウンリンク再送アクティブ時間を含む。ダウンリンク再送アクティブ時間は、端末が第１のデータのダウンリンク再送付与を受信する予定であるアクティブ時間である。
【００２１】
第２の態様の第５の可能な実施方式に関して、第２の態様の第６の可能な実施方式では、ＲＡＮデバイスが第２の付与情報を送信する前に、本方法は更に、
更に、ＲＡＮデバイスがダウンリンク再送アクティブ時間において、端末に第１のデータを送信するステップと、
ＲＡＮデバイスが、端末によって送信されたフィードバック情報を受信するステップであって、フィードバック情報は、端末による第１のデータの受信状況をフィードバックするために用いられ、フィードバック情報はＮＡＣＫである、ステップと、
を含む。
【００２２】
第２の態様の第５又は第６の可能な実施方式に関して、第２の態様の第７の可能な実施方式では、ダウンリンク再送アクティブ時間は、ＤＲＸ再送タイマー（drx-Retransmission  Timer）に従って決定される。
【００２３】
第２の態様又は第２の態様の第１〜第７の可能な実施方式のうちいずれか１つに関して、第２の態様の第８の可能な実施方式では、アクティベーション延長時間は、ＤＲＸ非アクティブタイマー（drx-Inactivity  Timer）に従って決定される。
【００２４】
第３の態様によれば、端末が提供され、間欠受信（ＤＲＸ）メカニズムにおいてデータを伝送するように構成される。本端末は、
ＤＲＸアクティブ期間において、無線アクセスネットワーク（ＲＡＮ）デバイスによって送信された第１の付与情報を受信するように構成される通信ユニットであって、第１の付与情報は、第１のデータに対して初期伝送付与を実行するために用いられ、
更に、再送アクティブ時間において、ＲＡＮデバイスによって送信された第２の付与情報を受信するように構成され、第２の付与情報は、第２のデータに対して初期伝送付与を実行するために用いられ、再送アクティブ時間は、端末が第１のデータの再送付与を受信する予定であるアクティブ時間である、通信ユニットと、
第２の付与情報の受信の後のアクティベーション延長時間において、アクティブ状態を維持するように構成される稼働ユニットと、
を含む。
【００２５】
第３の態様に関して、第３の態様の第１の可能な実施方式では、第１のデータは空である。
【００２６】
第３の態様又は第３の態様の第１の可能な実施方式に関して、第３の態様の第２の可能な実施方式では、第１の付与情報は、第１のデータに対してアップリンク初期伝送付与を実行するために用いられ、再送アクティブ時間はアップリンク再送アクティブ時間を含む。アップリンク再送アクティブ時間は、端末が第１のデータのアップリンク再送付与を受信する予定であるアクティブ時間である。
【００２７】
第３の態様の第２の可能な実施方式に関して、第３の態様の第３の可能な実施方式では、通信ユニットは更に、
ＲＡＮデバイスによって送信された第１の付与情報を受信した後、ＲＡＮデバイスによって送信された第２の付与情報を受信する前に、第１の付与情報に従って、ＲＡＮデバイスに第１のデータを送信するように構成され、
アップリンク再送アクティブ時間において、ＲＡＮデバイスによって送信されたフィードバック情報を受信するように構成され、フィードバック情報は、ＲＡＮデバイスによる第１のデータの受信状況をフィードバックするために用いられ、フィードバック情報はＡＣＫである。
【００２８】
第３の態様又は第３の態様の第１〜第３の可能な実施方式のうちいずれか１つに関して、第３の態様の第４の可能な実施方式では、第１の付与情報は、第１のデータに対してダウンリンク初期伝送付与を実行するために用いられ、再送アクティブ時間はダウンリンク再送アクティブ時間を含む。ダウンリンク再送アクティブ時間は、端末が第１のデータのダウンリンク再送付与を受信する予定であるアクティブ時間である。
【００２９】
第３の態様の第４の可能な実施方式に関して、第３の態様の第５の可能な実施方式では、通信ユニットは更に、
ＲＡＮデバイスによって送信された第１の付与情報を受信した後、ＲＡＮデバイスによって送信された第２の付与情報を受信する前に、ＲＡＮデバイスによって送信された第１のデータを受信するように構成され、
ＲＡＮデバイスにフィードバック情報を送信するように構成され、フィードバック情報は、通信ユニットによる第１のデータの受信状況をフィードバックするために用いられ、フィードバック情報はＮＡＣＫである。
【００３０】
第３の態様の第４又は第５の可能な実施方式に関して、第３の態様の第６の可能な実施方式では、ダウンリンク再送アクティブ時間は、ＤＲＸ再送タイマー（drx-Retransmission  Timer）に従って決定される。
【００３１】
第３の態様又は第３の態様の第１〜第６の可能な実施方式のうちいずれか１つに関して、第３の態様の第７の可能な実施方式では、アクティベーション延長時間は、ＤＲＸ非アクティブタイマー（drx-Inactivity  Timer）に従って決定される。
【００３２】
第４の態様によれば、無線アクセスネットワーク（ＲＡＮ）デバイスが提供され、間欠受信（ＤＲＸ）メカニズムにおいてデータを伝送するように構成される。本ＲＡＮデバイスは、
ＤＲＸアクティブ期間において、端末に第１の付与情報を送信するように構成される通信ユニットであって、第１の付与情報は、第１のデータに対して初期伝送付与を実行するために用いられる、通信ユニットと、
再送アクティブ時間を決定するように構成される決定ユニットであって、再送アクティブ時間は、端末が第１のデータの再送付与を受信する予定であるアクティブ時間である、決定ユニットと、
を備え、
通信ユニットは更に、再送アクティブ時間において、端末に第２の付与情報を送信するように構成され、第２の付与情報は、第２のデータに対して初期伝送付与を実行するために用いられる。
【００３３】
第４の態様に関して、第４の態様の第１の可能な実施方式では、通信ユニットは、次の条件のうち１つ又は任意の組合わせを満たすとき、端末に第１の付与情報を送信するように構成される。条件は、
通信ユニットが送信されるべきダウンリンクデータを有する場合であって、第１の付与情報は、送信されるべきダウンリンクデータに対して初期伝送付与を実行するために用いられる場合と、
通信ユニットが送信されるべきダウンリンクデータがあると予測した場合であって、第１のデータは空であり、第２のデータは予測された送信されるべきダウンリンクデータである場合と、
通信ユニットが端末によって送信されたＳＲを受信する場合であって、第１の付与情報は、送信されるべきアップリンクデータに対して初期伝送付与を実行するために用いられる場合と、
通信ユニットによって維持される端末のバッファ状態レポート（ＢＳＲ）が非空である場合であって、第１の付与情報は、端末のバッファにおいて、送信されるべきアップリンクデータに対して初期伝送付与を実行するために用いられる場合と、
通信ユニットが、端末が送信されるべきアップリンクデータを有する予定であると予測した場合であって、第１のデータは空であり、第２のデータは予測された送信されるべきアップリンクデータである場合と、
を含む。
【００３４】
第４の態様又は第４の態様の第１の可能な実施方式に関して、第４の態様の第２の可能な実施方式では、決定ユニットは、タイミング関係に従って再送アクティブ時間を決定するように構成される。
【００３５】
第４の態様又は第４の態様の第１の可能な実施方式と第２の可能な実施方式のいずれかに関して、第４の態様の第３の可能な実施方式では、第１の付与情報は、第１のデータに対してアップリンク初期伝送付与を実行するために用いられ、再送アクティブ時間はアップリンク再送アクティブ時間を含む。アップリンク再送アクティブ時間は、端末が第１のデータのアップリンク再送付与を受信する予定であるアクティブ時間である。
【００３６】
第４の態様の第３の可能な実施方式に関して、第４の態様の第４の可能な実施方式では、通信ユニットは更に、
第１の付与情報を送信した後、第２の付与情報を送信する前に、第１の付与情報に従って、端末によって送信された第１のデータを受信するように構成され、
更に、アップリンク再送アクティブ時間においてフィードバック情報を送信するように構成され、フィードバック情報は、通信ユニットによる第１のデータの受信状況をフィードバックするために用いられ、フィードバック情報はＡＣＫである。
【００３７】
第４の態様又は第４の態様の第１〜第４の可能な実施方式のうちいずれか１つに関して、第４の態様の第５の可能な実施方式では、第１の付与情報は、第１のデータに対してダウンリンク初期伝送付与を実行するために用いられ、再送アクティブ時間はダウンリンク再送アクティブ時間を含む。ダウンリンク再送アクティブ時間は、端末が第１のデータのダウンリンク再送付与を受信する予定であるアクティブ時間である。
【００３８】
第４の態様の第５の可能な実施方式に関して、第４の態様の第６の可能な実施方式では、通信ユニットは更に、
第２の付与情報を送信する前に、ダウンリンク再送アクティブ時間において、端末に第１のデータを送信するように構成され、
端末によって送信されたフィードバック情報を受信するように構成され、フィードバック情報は、端末による第１のデータの受信状況をフィードバックするために用いられ、フィードバック情報はＮＡＣＫである。
【００３９】
第４の態様の第５又は第６の可能な実施方式に関して、第４の態様の第７の可能な実施方式では、ダウンリンク再送アクティブ時間は、ＤＲＸ再送タイマー（drx-Retransmission  Timer）に従って決定される。
【００４０】
第４の態様又は第４の態様の第１〜第７の可能な実施方式のうちいずれか１つに関して、第４の態様の第８の可能な実施方式では、アクティベーション延長時間は、ＤＲＸ非アクティブタイマー（drx-Inactivity  Timer）に従って決定される。
【００４１】
本発明の実施形態では、ＤＲＸアクティブ期間において、ＲＡＮデバイスは、第１のデータに対して初期伝送付与を実行するために用いられる第１の付与情報を端末に送信し、端末が第１のデータに対する再送付与を受信する予定である再送アクティブ時間において、第２のデータに対して初期伝送付与を実行するために用いられる第２の付与情報を端末に送信する。ＲＡＮデバイス及び端末は、第２の付与情報が送信された後のアクティベーション延長時間においてアクティブ状態を維持する。初期伝送付与は、アップリンク初期伝送付与又はダウンリンク初期伝送付与であってよい。このように、ＲＡＮデバイスは、アップリンク再送アクティブ時間又はダウンリンク再送アクティブ時間を用いて初期伝送を実行して、アクティブ時間を延長することができる。よって、ＤＲＸ技術の使用が保証されるだけでなく、遅延の影響を低減することもできる。
【図面の簡単な説明】
【００４２】
【図１】従来技術で提供されるＤＲＸサイクルの概略図である。
【図２】本発明の実施形態に係るデータ伝送方法の概略図である。
【図３】本発明の実施形態に係るデータ伝送方法の概略フローチャートである。
【図４】本発明の実施形態に係るデータ伝送方法の概略フローチャートである。
【図５】本発明の実施形態に係るアップリンクデータ伝送の例示図である。
【図６】本発明の実施形態に係るダウンリンクデータ伝送の例示図である。
【図７】本発明の実施形態に係る端末の概略構造図である。
【図８】本発明の実施形態に係るＲＡＮデバイスの概略構造図である。
【図９】本発明の実施形態に係る端末の構造図である。
【図１０】本発明の実施形態に係るＲＡＮデバイスの構造図である。
【発明を実施するための形態】
【００４３】
本発明の目的、技術的解決策及び利点をより明確にするために、以下、更に、添付図面を参照しながら本発明を詳細に説明する。当然ながら、説明される実施形態は本発明の実施形態の一部に過ぎず、全部ではない。当業者が本発明の実施形態に基づいて創意工夫なく得た他の実施形態は、全て本発明の保護範囲に包含されるものとする。
【００４４】
以下、当業者による理解を助けるために、本願における一部の用語を説明する。
【００４５】
（１）ＲＡＮデバイスは、端末を無線ネットワークに接続するデバイスである。例としては、限定ではないが、進化型ノードＢ（evolved  Node  B，ｅＮＢ）、無線ネットワークコントローラ（radio  network  controller，ＲＮ）、ノードＢ（Node  B、ＮＢ）、基地局コントローラ（Base  Station  Controller，ＢＳＣ）、ベーストランシーバ基地局（Base  Transceiver  Station，ＢＴＳ）、ホーム基地局（例えばHome  evolved  NodeBやHome  Node  B，ＨＮＢ）、ベースバンドユニット（Base  Band  Unit，ＢＢＵ）、ＷｉＦｉアクセスポイント（Access  Point，ＡＰ）等が挙げられる。
【００４６】
（２）端末は、ユーザ装置（User  Equipment，ＵＥ）とも呼ばれ、音声及び／又はデータ接続性をユーザに提供するデバイスであり、例えばデータ接続性無線接続機能を有するハンドヘルドデバイス、無線接続機能を有する車載デバイス、無線モデムに接続された他の処理デバイスなどである。
【００４７】
（３）初期伝送は、初回伝送とも呼ばれ、データの１回目の伝送のことである。
【００４８】
（４）「複数」とは２以上のことである。「及び／又は」は、関連するオブジェクトを記述するための関連関係を記述し、３つの関係が存在する可能性があることを表す。例えば、Ａ及び／又はＢは、Ａのみ存在する場合と、ＡとＢの両方が存在する場合と、Ｂのみが存在する場合との３つの場合を表わすことができる。記号「／」は、一般に、関連するオブジェクトの「又は」の関係を示す。
【００４９】
ＤＲＸ技術では、ＲＡＮデバイスは、端末と基地局が同じＤＲＸサイクルを維持するように、端末にＤＲＸパラメータを構成する。例えば、ＤＲＸアクティブ期間はオン・デュレーションタイマ（onDuration  Timer）を用いて構成され、すなわち、１つのＤＲＸサイクルの開始からカウントされる、継続してリッスンされるＰＤＣＣＨサブフレームの数である。アクティブ期間に加えて、いくつかの他のアクティブ時間（active  time）が更に構成されてよい。例えば、ＤＲＸ非アクティブタイマー（drx-Inactivity  Timer）を用いてアクティベーション延長時間が構成される。アクティベーション延長時間は、端末が初期伝送後にアクティブ状態にある時間、すなわち、アップリンク（uplink，ＵＬ）、ダウンリンク（downlink，ＤＬ）又はサイドリンク（sidelink，ＳＬ）ユーザーデータの初期伝送を示すＰＤＣＣＨの復号に成功した後に端末がアクティブ状態を継続的に維持する、連続するＰＤＣＣＨサブフレームの数を指定する。別の例として、端末がダウンリンク再送付与を受信する予定であるアクティブ時間は、ＤＲＸ再送タイマー（drx-Retransmission  Timer）を用いて構成され、すなわち、端末がダウンリンク再送付与を受信する予定であるサブフレームから始めて、すなわちハイブリッド自動反復要求（HARQ  RTT）の往復時間後に、継続してリッスンされるＰＤＣＣＨサブフレームの数である。更に別の例では、端末は、ＨＡＲＱバッファがデータを有するときに発生するＨＡＲＱ再送のアップリンク付与時間において、アクティブ状態にあるように構成される。ここでは実際にアップリンク付与が発生するという制限は課されないが、端末は、アップリンク付与時間に従ってＰＤＣＣＨを維持及びリッスンして、アップリンク付与を受けることを予定する。更に他のアクティブ時間があるが、ここでは１つずつ論じることはしない。
【００５０】
上述のdrx-Retransmission  Timerによって構成されたアクティブ時間は、一般に複数のＴＴＩであり、ダウンリンク再送付与を受信するために用いられる。すなわち端末は、ＰＤＣＣＨをリッスンして、ダウンリンク再送付与を受信することを予定する。発生する予定のＨＡＲＱ再送のアップリンク付与時刻は一般に１つのＴＴＩであり、該時間はアップリンク再送付与を受信するために用いられる。すなわち、アップリンク再送付与の実際の受信に限定されることなく、端末はＰＤＣＣＨをリッスンしてアップリンク再送付与を受信することを予定する。本発明の実施形態では、再送に関する２種類のアクティブ時間は再送アクティブ時間と呼ばれ、それぞれダウンリンク再送アクティブ時間とアップリンク再送アクティブ時間と称される。
【００５１】
現在、再送アクティブ時間は、ダウンリンク再送付与又はアップリンク再送付与にのみ用いられる。本発明の実施形態では、ＤＲＸメカニズムにおけるサービスに対する遅延の影響、特に音声サービスに対する影響が考慮される。上述の再送アクティブ時間を用いて初期伝送が行われるので、初期伝送後には、アクティブ時間が少なくとも１つのアクティベーション延長時間だけ延長され、すなわち、少なくとも１つのdrx-Inactivity  Timerによって指定された期間だけ延長される。このように、ＤＲＸ技術の使用が保証され、遅延の影響が低減される。特に、ＤＲＸパラメータに構成されたアクティブ期間が比較的短いとき、ＤＲＸ技術を用いることにより、音声性能が向上し、端末の省電力性能が保証されるので、ユーザエクスペリエンスが向上する。
【００５２】
以下、添付図面を参照して、本発明の実施形態を詳細に説明する。
【００５３】
図２を参照する。図２は、本発明の実施形態に係るデータ伝送方法の概略図である。本方法は、ＤＲＸメカニズムにおいてデータを伝送するために用いられる。図２に示されるように、本方法は以下のステップを含む。
【００５４】
Ｓ２１０．ＲＡＮデバイスが、ＤＲＸアクティブ期間ＯＤにおいて、初期伝送付与を実行する。初期伝送付与は、アップリンク初期伝送付与又はダウンリンク初期伝送付与であってよい。
【００５５】
例えば、アップリンク方向では、送信する必要のあるデータがあるとき、端末はＲＡＮデバイスにスケジューリング要求（Scheduling  Request，ＳＲ）を送信する。ＲＡＮデバイスは、ＳＲに従ってアップリンクスケジューリング付与を実行し、すなわち、ＰＤＣＣＨを用いて端末にアップリンク付与（uplink  grant）を送信する。端末は、ＰＤＣＣＨチャネルをリッスンすることによってアップリンク付与を取得し、アップリンク付与に基づいてアップリンク初期伝送を実行する（Ｓ２２０）。別の例では、ダウンリンク方向では、ＲＡＮデバイスは、ＰＤＣＣＨを用いて端末にダウンリンク付与（downlink  grant）を送信して、物理ダウンリンク共有チャネル（Physical  Downlink  Shared  Channel，ＰＤＳＣＨ）でデータを受信するように端末に指示し、ＰＤＳＣＨを用いて端末にデータを送信し、すなわちダウンリンク初期伝送を実行する。端末は、ＲＡＮデバイスによって送信された初期伝送データを受信した後、初期伝送データを受信する状態をフィードバックする（Ｓ２２０）。初期伝送データを正常に受信した場合は、ＡＣＫを返す。それ以外の場合はＮＡＣＫを返す。
【００５６】
なお、上述のステップＳ２２０（すなわち、端末のアップリンク初期伝送又はダウンリンクフィードバック）は、アクティブ期間ＯＤにおいて完了されてもよいし、アクティベーション延長時間ＩＡにおいて完了されてもよいし、スリープ期間において完了されてもよく、ここでは限定されない。
【００５７】
アップリンク方向では、端末のアップリンク初期伝送データを受信した後、ＲＡＮデバイスは、初期伝送データの受信状況をフィードバックする。ＲＡＮデバイスは、正しい受信の場合にＡＣＫをフィードバックし、アップリンク再送付与を実行しなくてよく、誤った受信の場合にはＮＡＣＫをフィードバックし、アップリンク再送付与を実行してもしなくてもよい。アップリンク再送付与はＰＤＣＣＨを用いて実行され、フィードバックは物理ハイブリッド自動反復要求インジケータチャネル（Physical  HARQ  Indicator  Channel，ＰＨＩＣＨ）を用いて実行される。端末について、端末は初期伝送データの受信状態を予測することができないので、この場合端末は、可能なアップリンク再送付与を受信するために１つのアクティブ時間を維持する必要があり、アップリンク初期伝送データの伝送失敗の場合にアップリンク再送付与を用いて再送を実行する。アクティブ時間はアップリンク再送アクティブ時間ＴＵであり、アクティブ時間は一般に１つのＴＴＩであるので、アクティブ時間はアップリンク再送アクティベーション時刻とも呼ばれ、アップリンク再送付与のみを受信するために用いられることが分かるであろう。
【００５８】
ダウンリンク方向では、端末がＲＡＮデバイスにフィードバック情報を送信した後、フィードバック情報がＮＡＣＫである場合、端末は、ＰＤＣＣＨをリッスンするためにHARQ  RTTの後にＤＲＸ再送タイマー（drx-Retransmission  Timer）を開始して、ダウンリンク再送付与を受信することを予定し、ダウンリンク再送付与に基づいて、ＰＤＳＣＨ上でダウンリンク再送データを受信する。ＤＲＸ再送タイマーの時間はダウンリンク再送アクティブ時間ＴＤであり、ダウンリンク再送付与のみを受信するために用いられる。
【００５９】
本発明の本実施形態では、アップリンク再送アクティブ時間ＴＵとダウンリンク再送アクティブ時間ＴＤの一方又は両方を用いて初期伝送が実行され、このように、アクティブ時間は少なくとも１つのアクティベーション延長時間ＩＡによって延長することができる。すなわち、上記の方法は更に、以下のステップを含む。
【００６０】
Ｓ２３０．ＲＡＮデバイスが、再送アクティブ時間において初期伝送付与を実行する。初期伝送付与は、アップリンク初期伝送付与であってもよいし、ダウンリンク初期伝送付与であってもよい。付与は初期伝送付与であるので、前回の初期伝送付与が実行されたデータを再送するのには用いられない。すなわち、この初期伝送付与が実行されたデータは、上述したステップＳ２１０で初期伝送付与が実行されたデータと異なる。したがって、区別のために、ステップＳ２１０における初期伝送付与は第１の初期伝送付与と呼ばれ、ステップＳ２３０における初期伝送付与は第２の初期伝送付与と呼ばれる。
【００６１】
このように、アップリンク方向では、ＲＡＮデバイスは、ＰＤＣＣＨを用いてアップリンク再送アクティブ時間ＴＵにおいて、アップリンク付与を端末に送信する。当然ながら、ＰＨＩＣＨに関するフィードバックは実行されても実行されなくてもよく、本明細書では限定されない。すなわち、図中の括弧内のＰＨＩＣＨ伝送が実行されるか否かは、本願においては限定されない。ダウンリンク方向では、ＲＡＮデバイスは、ＰＤＣＣＨを用いてダウンリンク再送アクティブ時間ＴＤにおいてダウンリンク付与を端末に送信する。ＰＤＳＣＨ上でのダウンリンク初期伝送データが実際に送信されるか否かは、ここでは限定されない。すなわち、図中の括弧内のＰＤＳＣＨ上の、端末に対するデータの送信は空であってよい。
【００６２】
Ｓ２４０．端末が再送アクティブ時間に初期伝送付与を受信するので、端末は、アクティブ時間が１つのアクティベーション延長時間ＩＡだけ延長されるように、ＤＲＸ非アクティブタイマー（drx-Inactivity  Timer）を開始する。アクティベーション延長時間ＩＡ内に初期伝送が再び生じる場合、ＤＲＸ非アクティブタイマーが再開され、アクティブ時間が延長され続ける。
【００６３】
ＲＡＮデバイスから端末に対するスケジューリング付与は、アップリンクスケジューリング付与及びダウンリンクスケジューリング付与を含み、ＰＤＣＣＨのダウンリンク制御情報（Downlink  Control  Information，ＤＣＩ）を用いて実現されてよい。ＤＣＩは、アップリンク／ダウンリンクスケジューリング情報、変調符号化方式、ＨＡＲＱ情報、電力制御情報などを搬送し、ＰＤＣＣＨチャネルによって搬送及び送信される。ＤＣＩは、主に３つのカテゴリに分類される。第１にダウンリンクスケジューリング割当てであり、ＰＤＳＣＨリソース指示、伝送フォーマット、ＨＡＲＱ情報、空間多重化情報などを含み、第２にアップリンクスケジューリング付与であり、ＰＵＳＣＨリソース指示、伝送フォーマット、ＨＡＲＱ情報などを含み、第３にＰＵＳＣＨ電力制御コマンドであり、端末グループに対応するＰＵＳＣＨ電力制御コマンドであり、アップリンク付与においてＰＵＳＣＨ電力制御コマンドの補足として用いられる。これらは当業者に周知であり、本発明の本質とは無関係であるので、ここでは詳細の説明を省略する。
【００６４】
以下、フローチャート参照して、本発明の実施形態を詳細に説明する。
【００６５】
引き続き図３を参照する。図３は、本発明の実施形態に係るデータ伝送方法の概略フローチャートである。本方法は、ＤＲＸメカニズムにおいてデータを伝送するために用いられる。図３に示されるように、本方法は端末によって実行され、以下のステップを含む。
【００６６】
Ｓ３１０．端末が、ＤＲＸアクティブ期間において、ＲＡＮデバイスによって送信された第１の付与情報を受信する。第１の付与情報は、第１のデータに対して初期伝送付与を実行するために用いられる。初期伝送は、アップリンク初期伝送であってもよいし、ダウンリンク初期伝送であってもよい。
【００６７】
Ｓ３１０において、第１のデータが、端末がＲＡＮデバイスに送信する必要のあるアップリンクデータである場合、第１の付与情報はアップリンク初期伝送付与である。第１のデータが、ＲＡＮデバイスが端末に送信する必要のあるダウンリンクデータである場合、第１の付与情報はダウンリンク初期伝送付与である。
【００６８】
第１のデータがアップリンクデータであるとき、任意に、第１のデータは端末によって生成され、初期伝送されなくてよい。端末は、第１のデータを生成した後ＲＡＮデバイスにＳＲを送信し、よってＲＡＮデバイスは、ＳＲに従って第１の付与情報を端末に送信する。任意に、端末が、データ量が比較的大きいデータパケットを生成し、データパケットの一部のデータの初期伝送を実行したとき、第１のデータは、データパケットの残りの他のデータであってよい。データパケットに他の残りのデータがあると決定したとき、端末は、ＲＡＮデバイスにバッファ状態レポート（Buffer  State  Report，ＢＳＲ）を送信する。よって、ＲＡＮデバイスは、ＢＳＲに従って端末に第１の付与情報を送信する。任意に、端末が送信するアップリンクデータを有する予定であると予測した場合、ＲＡＮデバイスは第１の付与情報を配信する。当然ながら、端末が送信されるべきアップリンクデータを生成していない場合、ＲＡＮデバイスに送信される第１のデータは空である。端末が送信されるべきアップリンクデータを有する予定であると予測したとき、ＲＡＮデバイスは第１の付与情報を送信する。よって、第１の付与情報が送信された後のアクティベーション延長時間ＩＡにおいて、端末及びＲＡＮデバイスはアクセス状態にある。これにより、端末が送信されるべきアップリンクデータを生成するときに、端末及びＲＡＮデバイスがスリープ状態にあるので、送信遅延が増大することが回避される。加えて、再送アクティブ時間によってトリガされる次の再送アクティブ時間及びアクティベーション延長時間もトリガされてよく、送信されるべきアップリンクデータは、アクティブ時間のうち任意のアクティブ時間で送信されてよい。
【００６９】
第１のデータがダウンリンクデータであるとき、任意に、ＲＡＮデバイスにより第１のデータが生成され、初期伝送されない。第１の付与情報を送信するとき、ＲＡＮは更に、ＰＤＳＣＨを用いて第１のデータを送信する。任意に、ダウンリンクデータが送信されることを予測したとき、ＲＡＮデバイスは端末に第１の付与情報を送信するが、この時点ではダウンリンクデータは生成されておらず、或いは到着していない。次に、第１の付与情報を送信するとき、ＲＡＮデバイスは、空である第１のデータをＰＤＳＣＨを用いて送信する。送信されるべきダウンリンクデータを予測するとき、ＲＡＮデバイスは第１の付与情報を送信する。同様に、第１の付与情報を送信した後のアクセス延長時間ＩＡにおいて、端末及びＲＡＮデバイスはアクセス状態とされてもよい。これにより、ＲＡＮデバイスが送信されるべきダウンリンクデータを生成するときに、端末及びＲＡＮデバイスがスリープ状態にあるので、送信遅延が増大することが回避される。加えて、再送アクティブ時間によってトリガされる次の再送アクティブ時間及びアクティベーション延長時間もトリガされてよく、送信されるべきダウンリンクデータは、アクティブ時間のうち任意のアクティブ時間で送信されてよい。
【００７０】
Ｓ３２０．端末が、再送アクティブ時間において、ＲＡＮデバイスによって送信された第２の付与情報を受信する。第２の付与情報は、第２のデータに対して初期伝送付与を実行するために用いられる。
【００７１】
Ｓ３１０における第１の付与情報は、第１のデータに対してアップリンク初期伝送付与を実行するために用いられ、そして、再送アクティブ時間はアップリンク再送アクティブ時間を含む。アップリンク再送アクティブ時間は、端末が第１のデータのアップリンク再送付与を受信する予定であるアクティブ時間である。加えて、Ｓ３１０の後、Ｓ３２０の前に、本方法は更に、
端末が、第１の付与情報に従って、ＲＡＮデバイスに第１のデータを送信するステップと、
更に、端末がアップリンク再送アクティブ時間において、ＲＡＮデバイスによって送信されたフィードバック情報を受信するステップであって、フィードバック情報は、ＲＡＮデバイスによる第１のデータの受信状況をフィードバックするために用いられ、フィードバック情報はＡＣＫである、ステップと、
を含む。
【００７２】
このように、アップリンクデータ伝送のプロセスにおいて、ＲＡＮデバイス及び端末は、アップリンク再送アクティブ時間を用いて初期伝送を実行して。アクティブ時間を延長してよい。
【００７３】
Ｓ３１０における第１の付与情報は、第１のデータに対してダウンリンク初期伝送付与を実行するために用いられ、そして、再送アクティブ時間はダウンリンク再送アクティブ時間を含む。ダウンリンク再送アクティブ時間は、端末が第１のデータのダウンリンク再送付与を受信する予定であるアクティブ時間である。加えて、Ｓ３１０の後、Ｓ３２０の前に、本方法は更に、
端末が、ＲＡＮデバイスによって送信された第１のデータを受信するステップと、
端末が、ＲＡＮデバイスにフィードバック情報を送信するステップであって、フィードバック情報は、端末による第１のデータの受信状況をフィードバックするために用いられ、フィードバック情報はＮＡＣＫである、ステップと、
を含む。
【００７４】
このように、ダウンリンクデータ伝送の過程で、ＲＡＮデバイスと端末は、ダウンリンク再送アクティベーション時間を用いて初期伝送を行い、アクティブ時間を延長することができる。
【００７５】
ダウンリンク再送アクティブ時間は、ＤＲＸ再送タイマー（drx-Retransmission  Timer）に従って決定される。
【００７６】
Ｓ３３０．端末が、第２の付与情報の受信の後のアクティベーション延長時間においてアクティブ状態を維持する。
【００７７】
アクティベーション延長時間は、ＤＲＸ非アクティブタイマー（drx-Inactivity  Timer）に従って決定される。
【００７８】
上述の再送アクティブ時間は、端末が第１のデータの再送付与を受信する予定であるアクティブ時間である。いわゆる「予定」とは、第１のデータに対する再送付与は今回送信されなくてよいが、第１のデータに対する再送付与が存在することがあるので、端末がアクティブ時間を維持して再送付与を受信する予定であることを意味する。加えて、再送アクティブ時間は、アップリンク再送アクティブ時間を含んでもよいし、ダウンリンク再送アクティブ時間を含んでもよいし、アップリンク再送アクティブ時間とダウンリンク再送アクティブ時間の両方を含んでもよい。アップリンク再送アクティブ時間は、端末が第１のデータに対するアップリンク再送付与を受信することを予定するアクティブ時間である。上述のダウンリンク再送アクティブ時間は、第１のデータに対するダウンリンク再送付与を受信する予定であるアクティブ時間である。すなわち、アップリンク再送アクティブ時間を用いて初期伝送を実行してアクティブ時間を延長することができ、ダウンリンク再送アクティブ時間を用いて初期伝送を実行してアクティブ時間を延長することができ、或いはそれらの両方を用いてアクティブ時間を延長することができる。
【００７９】
アップリンク再送アクティブ時間は１つのＴＴＩであってよいが、本願では限定されず、或いは別の値に設定されてよい。ダウンリンク再送アクティブ時間は、ＤＲＸ再送タイマー（drx-Retransmission  Timer）に従って決定されてよく、一般に複数のＴＴＩであってよい。当然ながら、ダウンリンク再送アクティブ時間は別の方式で決定されてもよく、本願では限定されない。加えて、アクティベーション延長時間は、ＤＲＸ非アクティブタイマー（drx-Inactivity  Timer）に従って決定されてよい。当然ながら、アクティベーション延長時間は別の方式で決定されてもよく、本願では限定されない。
【００８０】
引き続き図４を参照する。図４は、本発明の実施形態に係るデータ伝送方法の概略フローチャートである。本方法は、ＤＲＸメカニズムにおいてデータを伝送するために用いられる。図４に示されるように、本方法はＲＡＮデバイスによって実行され、以下のステップを含む。
【００８１】
Ｓ４１０．ＲＡＮデバイスが、ＤＲＸアクティブ期間において端末に第１の付与情報を送信する。第１の付与情報は、第１のデータに対して初期伝送付与を実行するために用いられる。初期伝送は、アップリンク初期伝送であってもよいし、ダウンリンク初期伝送であってもよい。
【００８２】
Ｓ４２０．ＲＡＮデバイスが再送アクティブ時間を決定する。再送アクティブ時間は、端末が第１のデータの再送付与を受信する予定であるアクティブ時間である。
【００８３】
第１の付与情報が第１のデータに対してアップリンク初期伝送付与を実行するために用いられるとき、任意に、再送アクティブ時間はアップリンク再送アクティブ時間を含む。アップリンク再送アクティブ時間は、端末が第１のデータのアップリンク再送付与を受信する予定であるアクティブ時間である。任意に、ＲＡＮデバイスが第１の付与情報を送信した後、ＲＡＮデバイスが第２の付与情報を送信する前に、本方法は更に、
第１の付与情報に従って、端末によって送信された第１のデータを受信するステップと、
更に、ＲＡＮデバイスが、アップリンク再送アクティブ時間においてフィードバック情報を送信するステップであって、フィードバック情報は、ＲＡＮデバイスによる第１のデータの受信状況をフィードバックするために用いられ、フィードバック情報はＡＣＫである、ステップと、
を含む。
【００８４】
第１の付与情報が第１のデータに対してダウンリンク初期伝送付与を実行するために用いられるとき、任意に、再送アクティブ時間はダウンリンク再送アクティブ時間を含む。ダウンリンク再送アクティブ時間は、端末が第１のデータのダウンリンク再送付与を受信する予定であるアクティブ時間である。任意に、ＲＡＮデバイスが第２の付与情報を送信する前に、本方法は更に、
更に、ＲＡＮデバイスがダウンリンク再送アクティブ時間において、端末に第１のデータを送信するステップと、
ＲＡＮデバイスが、端末によって送信されたフィードバック情報を受信するステップであって、フィードバック情報は、端末による第１のデータの受信状況をフィードバックするために用いられ、フィードバック情報はＮＡＣＫである、ステップと、
を含む。
【００８５】
任意に、ダウンリンク再送アクティブ時間は、ＤＲＸ再送タイマー（drx-Retransmission  Timer）に従って決定される。
【００８６】
Ｓ４３０．ＲＡＮデバイスが、再送アクティブ時間において、端末に第２の付与情報を送信する。第２の付与情報は、第２のデータに対して初期伝送付与を実行するために用いられる。
【００８７】
アクティベーション延長時間は、ＤＲＸ非アクティブタイマー（drx-Inactivity  Timer）に従って決定される。
【００８８】
上述のステップＳ４１０は、以下のいくつかの方式のいずれか１つ又は組合わせでトリガされてよい。
【００８９】
第１に、ＲＡＮデバイスが送信されるべきダウンリンクデータを有するとき、ＲＡＮデバイスは、端末に第１の付与情報を送信するようにトリガされてよい。この場合、第１の付与情報は、送信されるべきダウンリンクデータに対して初期伝送付与を実行するために用いられる。
【００９０】
第２に、ＲＡＮデバイスが送信されるべきダウンリンクデータが存在する予定であると予測したとき、ＲＡＮデバイスは、端末に第１の付与情報を送信ようにトリガされてよい。この場合、第１の付与情報は、空の初期伝送スケジューリングに対して用いられ、すなわち、ＰＤＳＣＨ上で端末に送信されたデータは空である。ただし、ＲＡＮデバイスは、第１の付与情報が復号化された後のアクティベーション延長時間、又はダウンリンク再送アクティブ時間において、ダウンリンクデータに対して付与を実行し、端末にダウンリンクデータを送信してよい。この場合、第１のデータは空である。送信されるべきダウンリンクデータは、第１の付与情報が復号された後のアクティベーション延長時間で配信されてよく、ダウンリンク再送アクティブ時間において配信されてもよい。この場合、第２のデータは、予測された送信されるべきダウンリンクデータであってよい。この場合は、音声サービスが特に規則的であり、事前に予測することが容易であるので、音声サービスに特に適用可能である。
【００９１】
第３に、端末は、送信されるべきアップリンクデータを有するときに、ＲＡＮデバイスにＳＲを送信する。ＲＡＮデバイスが端末によって送信されたＳＲを受信すると、ＲＡＮデバイスは、端末に第１の付与情報を送信するようにトリガされてよい。この場合、第１の付与情報は、送信されるべきアップリンクデータに対して初期伝送を実行するために用いられる。
【００９２】
第４に、ＲＡＮデバイスによって維持される端末のバッファ状態レポート（Buffer  Status  Report，ＢＳＲ）が非空であるとき、ＲＡＮデバイスは、端末に第１の付与情報を送信するようにトリガされてよい。この場合、第１の付与情報は、端末のバッファにおいて、送信されるべきアップリンクデータに対して初期伝送付与を実行するために用いられる。
【００９３】
第５に、ＲＡＮデバイスが、端末が送信されるべきアップリンクデータを有する予定であると予測したとき、ＲＡＮデバイスは、端末に第１の付与情報を送信するようにトリガされてよい。この場合、第１の付与情報は、空の初期伝送スケジューリングに用いられる。ただし、ＲＡＮデバイスは、第１の付与情報が復号化された後のアクティベーション延長時間、又はアップリンク再送アクティブ時間において、アップリンクデータに対して付与を実行してよい。よって端末は、付与を用いてアップリンクデータを送信する。この場合、第１のデータは空である。送信されるべきアップリンクデータの付与情報は、第１の付与情報が復号された後のアクティベーション延長時間で配信されてよく、アップリンク再送アクティブ時間において配信されてもよい。この場合、第２のデータは、予測された送信されるべきアップリンクデータであってよい。この場合は、音声サービスが特に規則的であり、事前に予測することが容易であるので、音声サービスに特に適用可能である。
【００９４】
上述のステップＳ４２０において、ＲＡＮデバイスは、タイミング関係に従って再送アクティブ時間を決定してよい。例えば、周波数分割複信（Frequency  Division  Duplex，ＦＤＤ）通信システムでは、ＲＡＮデバイスが第１の付与情報を送信する時刻がＴ１であり、ＦＤＤ通信システムのタイミング関係に従って、再送アクティブ時間がＴ１＋８ＴＴＩであると仮定する。時分割複信（Time  Division  Duplex，ＴＤＤ）通信システムでは、選択されたアップリンク−ダウンリンクサブフレーム構成に従って、対応するタイミング関係が選択されて、再送アクティブ時間を決定することができる。例えば、第３世代パートナーシッププロジェクト（3rd  Generation  Partnership  Project，３ＧＰＰ）プロトコルＴＳ３６．２１３で規定される異なるアップリンク−ダウンリンクサブフレーム構成に対応するタイミング関係を参照することにより、再送アクティブ時間が決定されてよい。
【００９５】
再送アクティブ時間の説明は、上述の実施形態と同様であるので、再度の説明は省略する。
【００９６】
なお、上述の実施形態では、第１のデータが空でないとき、アップリンク伝送方向において、ＲＡＮデバイスが端末によって送信された第１のデータを正常に受信したとき、ＲＡＮデバイスは、端末にＡＣＫをフィードバックし、ＰＤＣＣＨ上で端末に第２の付与情報を送信してよい。第２の付与情報は、別の初期伝送付与のために用いられ、すなわち、第２のデータに対して初期伝送付与を実行するために用いられる。この場合、第１のデータが正しく受信され、再送信される必要がないので、アップリンク再送アクティブ時間を用いて初期伝送を実行することは、既存のプロトコルと互換性があってよく、再送に影響しない。当然ながら、ＲＡＮデバイスがＮＡＣＫをフィードバックするときに初期伝送が実行されてもよいが、本願では限定されない。第１のデータが空でないとき、ダウンリンク伝送方向では、ＲＡＮデバイスによって送信された第１のデータを正常に受信しなかった場合、端末はＲＡＮデバイスにＮＡＣＫをフィードバックする。この場合、端末は、再送アクティブ時間においてアクティブ状態を維持して、第１のデータの再送を受信することを予定する。ＲＡＮデバイスは、アクティブ時間を用いてダウンリンク初期伝送付与を実行し、既存のプロトコルを変更しなくてよい。当然ながら、端末は、ＡＣＫをフィードバックするときにダウンリンク再送アクティブ時間の開始をトリガしてもよく、それによりダウンリンク再送アクティブ時間を用いて実行される初期伝送を容易にする。これは本願において限定されない。
【００９７】
以下、アップリンクとダウンリンクの２つの観点から別々に説明を行う。
【００９８】
図５を参照する。図５は、アップリンクデータ伝送の例を示す図である。アップリンク再送アクティブ時間を用いて初期データ伝送を実行する手順は、以下を含む。
【００９９】
Ａ１．送信されるべきデータパケットを生成した後、端末はＲＡＮデバイスにＳＲを送信する。
【０１００】
Ｂ１．ＲＡＮデバイスは、ＰＤＣＣＨを用いて、１つのＤＲＸサイクルのアクティブ期間において、時刻Ｔ１で端末に第１の付与情報を送信する。第１の付与情報は、送信されるべきデータパケットの初期伝送付与を実行するために用いられる。加えて、ＲＡＮデバイスは、送信されるべきデータが正しく受信されなかったとき、再送のための付与時間、すなわちアップリンク再送アクティブ時間を決定してよい。
【０１０１】
Ｃ１．端末は、アクティブ期間にＰＤＣＣＨをリッスンし、第１の付与情報をリッスンすることによって取得する。送信されるべきデータパケットのデータ量が比較的大きいので、端末は時刻Ｔ２において、ＰＵＳＣＨを用いて、送信されるべきデータパケット内の第１のデータをＲＡＮデバイスに初期伝送する。送信されるべきデータパケットは更に、端末のバッファに記憶されている第２のデータを含むので、端末は更に、第１のデータを送信するときにＲＡＮデバイスにＢＳＲを送信する。
【０１０２】
Ｄ１．時刻Ｔ２において第１のデータを受信すると、ＲＡＮデバイスは復号を行い、復号が成功すると、フィードバック情報ＡＣＫを生成する。
【０１０３】
Ｅ１．ＲＡＮデバイスは、時刻Ｔ３すなわちアップリンク再送アクティブ時間において、ＰＨＩＣＨを用いて、端末にフィードバック情報を送信し、同時にＰＤＣＣＨを用いて、端末に第２の付与情報を送信する。第２の付与情報は、第２のデータに対して初期伝送付与を実行するために用いられる。
【０１０４】
Ｆ１．端末は、ＰＤＣＣＨをリッスンし、時刻Ｔ３において、リスニングによって第２の付与情報を取得し、時刻Ｔ４に至ると、ＰＵＳＣＨを用いてＲＡＮデバイスに第２のデータの初期伝送を実行する。
【０１０５】
端末が初期データ伝送を実行するためにサブフレームでスケジューリングされた（すなわち、端末が初期データ伝送に用いられるアップリンク付与情報又はダウンリンク付与情報を受信する）とき、端末及びＲＡＮデバイスはdrx-Inactivity  Timerを用いてアクティベーション延長時間を構成する。drx-Inactivity  Timerは図中のＩＡである。図に示されるように、このようにして、端末及びＲＡＮデバイスの１回のＤＲＸサイクルにおけるアクティブ時間を延長することができる。
【０１０６】
Ｂ１では、ＲＡＮデバイスがアップリンク再送アクティブ時間Ｔ３を決定することは、具体的には、
ＲＡＮデバイスは、第１の付与情報が送信された時刻Ｔ１に続く、送信時刻間隔ＴＴＩの第１の設定数の後に到達する時刻Ｔ３を、アップリンク再送アクティブ時間Ｔ３として用いること、
を含む。
【０１０７】
第１の設定数の値は、異なるデュプレックスシステムによって異なる。例えば、ＦＤＤシステムでは、Ｔ１、Ｔ２、Ｔ３及びＴ４のうち、２つの隣接する時刻の間に４つのＴＴＩが存在する。したがって、第１の設定数の値は８である。別の例では、ＴＤＤシステムにおいて、第１の設定数は、異なるアップリンク−ダウンリンクサブフレーム構成のタイミング関係に従って決定される必要がある。
【０１０８】
図６を参照する。図６はダウンリンクデータ伝送の例示図である。ダウンリンクデータ再送アクティブ時間を用いて初期データ伝送を実行する手順は、以下を含む。
【０１０９】
Ａ２．送信されるべきダウンリンクデータがあると決定したとき、ＲＡＮデバイスは、ＰＤＣＣＨを用いて、１つのＤＲＸサイクルのアクティブ期間において端末に第１の付与情報を送信する。第１の付与情報はダウンリンクデータの第１のデータに対する初期伝送付与に用いられ、ＲＡＮデバイスはＰＤＳＣＨを用いて同時に第１のデータを送信する。
【０１１０】
Ｂ２．端末は、時刻Ｔ１において、リッスンにより、ＰＤＣＣＨを用いて送信された第１の付与情報をリッスンすることにより、設定時間ウィンドウ（HARQ  RTT  Timerなど）を開始し、第１の付与情報に従って第１のデータを受信する。
【０１１１】
Ｃ２．端末は、時刻Ｔ１の後に第１のデータの復号を実行し、復号に失敗したときはフィードバック情報ＮＡＣＫを生成する。端末は、物理アップリンク制御チャネル（Physical  Uplink  Control  Channel，ＰＵＣＣＨ）又は物理アップリンク共有チャネル（Physical  Uplink  Shared  Channel，ＰＵＳＣＨ）を用いて、時刻Ｔ２においてＲＡＮデバイスにフィードバック情報を送信する。端末は、ＲＡＮデバイスによって再送された第１のデータを受信することを予定するために、HARQ  RTTの後にＤＲＸ再送タイマー（drx-Retransmission  Timer）を開始する。ＤＲＸ再送タイマーの動作期間はダウンリンク再送アクティブ時間である。
【０１１２】
Ｄ２．ＲＡＮデバイスは、ダウンリンク再送アクティブ時間の任意の時刻で、端末に第２の付与情報を送信することができる。第２の付与情報は、第２のデータに対する初期伝送付与を実行するために用いられる。ＲＡＮデバイスは、ＰＤＳＣＨを用いて第２のデータを同時に送信する。
【０１１３】
HARQ  RTT  Timerの長さは、異なるデュプレックスシステムによって異なる。例えば、設定時間ウィンドウの長さは、ＦＤＤシステムでは８サブフレームの長さであり、選択されたアップリンク−ダウンリンクサブフレーム構成に対応するタイミング関係に従って、ＴＤＤシステムにおいて決定されてよい。
【０１１４】
本発明の本実施形態では、ＲＡＮデバイスは、第１のデータのダウンリンク再送アクティブ時間を用いて、ＰＤＣＣＨを用いて、第２のデータの初期伝送を実行するために用いられる第２の付与情報を端末に配信して、ダウンリンク再送アクティブ時間を用いて初期データ伝送を実現することができる。
【０１１５】
本発明の本実施形態では、図に示されるように、端末が初期データ伝送に用いられるダウンリンク付与情報を受信するたびに、端末はdrx-Inactivity  Timerを用いて、１つのアクティベーション延長時間を維持して、ＤＲＸサイクルでアクティブ時間を延長する。
【０１１６】
上述の実施形態に基づき、本発明の実施形態は、ＤＲＸメカニズムにおいてデータを伝送するように構成される端末を提供する。図７を参照する。端末７００は、通信ユニット７０１及び稼働ユニット７０２を備える。
【０１１７】
通信ユニット７０１は、ＤＲＸアクティブ期間において、無線アクセスネットワーク（ＲＡＮ）デバイスによって送信された第１の付与情報を受信するように構成される。第１の付与情報は、第１のデータに対して初期伝送付与を実行するために用いられる。
【０１１８】
通信ユニット７０１は更に、再送アクティブ時間において、ＲＡＮデバイスによって送信された第２の付与情報を受信するように構成される。第２の付与情報は、第２のデータに対して初期伝送付与を実行するために用いられ、再送アクティブ時間は、端末が第１のデータの再送付与を受信する予定であるアクティブ時間である。
【０１１９】
稼働ユニット７０２は、第２の付与情報の受信の後のアクティベーション延長時間において、アクティブ状態を維持するように構成される。
【０１２０】
なお、再送アクティブ時間、第１のデータ及び第２のデータの説明は、上述の方法実施形態の場合と同様である。
【０１２１】
任意に、第１のデータは空である。
【０１２２】
任意に、第１の付与情報は、第１のデータに対してアップリンク初期伝送付与を実行するために用いられ、再送アクティブ時間はアップリンク再送アクティブ時間を含む。アップリンク再送アクティブ時間は、端末が第１のデータのアップリンク再送付与を受信する予定であるアクティブ時間である。
【０１２３】
任意に、通信ユニット７０１は更に、
ＲＡＮデバイスによって送信された第１の付与情報を受信した後、ＲＡＮデバイスによって送信された第２の付与情報を受信する前に、第１の付与情報に従って、ＲＡＮデバイスに第１のデータを送信するように構成され、
アップリンク再送アクティブ時間において、ＲＡＮデバイスによって送信されたフィードバック情報を受信するように構成される。フィードバック情報は、ＲＡＮデバイスによる第１のデータの受信状況をフィードバックするために用いられ、フィードバック情報はＡＣＫである。
【０１２４】
任意に、第１の付与情報は、第１のデータに対してダウンリンク初期伝送付与を実行するために用いられ、再送アクティブ時間はダウンリンク再送アクティブ時間を含む。ダウンリンク再送アクティブ時間は、端末が第１のデータのダウンリンク再送付与を受信する予定であるアクティブ時間である。
【０１２５】
任意に、通信ユニット７０１は更に、
ＲＡＮデバイスによって送信された第１の付与情報を受信した後、ＲＡＮデバイスによって送信された第２の付与情報を受信する前に、ＲＡＮデバイスによって送信された第１のデータを受信するように構成され、
ＲＡＮデバイスにフィードバック情報を送信するように構成される。フィードバック情報は、端末による第１のデータの受信状況をフィードバックするために用いられ、フィードバック情報はＮＡＣＫである。
【０１２６】
任意に、ダウンリンク再送アクティブ時間は、ＤＲＸ再送タイマー（drx-Retransmission  Timer）に従って決定される。
【０１２７】
任意に、アクティベーション延長時間は、ＤＲＸ非アクティブタイマー（drx-Inactivity  Timer）に従って決定される。
【０１２８】
なお、本実施形態における通信ユニットは、端末の送受信装置によって実現されてよい。稼働ユニットは、個別に配置されたプロセッサであってもよいし、実装のために端末のプロセッサに統合されてもよいし、上述の稼働ユニットの機能を実行するために端末のプロセッサによって呼び出されるプログラムコードの形式で端末のメモリに記憶されてもよい。ここで記載されるプロセッサは、中央演算処理装置（Central  Processing  Unit，ＣＰＵ）、特定用途向け集積回路（Application  Specific  Integrated  Circuit，ＡＳＩＣ）、或いは、本発明の本実施形態を実現するように構成される１つ以上の集積回路であってよい。
【０１２９】
上述の実施形態に基づき、本発明の実施形態は更に、ＤＲＸメカニズムにおいてデータを伝送するように構成されるＲＡＮデバイスを提供する。図８を参照する。ＲＡＮデバイス８００は、通信ユニット８０１及び決定ユニット８０２を備える。
【０１３０】
通信ユニット８０１は、ＤＲＸアクティブ期間において、端末に第１の付与情報を送信するように構成される。第１の付与情報は、第１のデータに対して初期伝送付与を実行するために用いられる。
【０１３１】
決定ユニット８０２は、再送アクティブ時間を決定するように構成される。再送アクティブ時間は、端末が第１のデータの再送付与を受信する予定であるアクティブ時間である。
【０１３２】
通信ユニット８０１は更に、再送アクティブ時間において、端末に第２の付与情報を送信するように構成される。第２の付与情報は、第２のデータに対して初期伝送付与を実行するために用いられる。
【０１３３】
なお、再送アクティブ時間、第１のデータ及び第２のデータの説明は、上述の実施形態の場合と同様である。
【０１３４】
任意に、通信ユニット８０１は、次の条件のうち１つ又は任意の組合わせを満たすとき、第１の付与情報を端末にするように構成される。条件は、
通信ユニット８０１が送信されるべきダウンリンクデータを有する場合であって、第１の付与情報は、送信されるべきダウンリンクデータに対して初期伝送付与を実行するために用いられる場合と、
通信ユニット８０１が送信されるべきダウンリンクデータがあると予測した場合であって、第１のデータは空であり、第２のデータは予測された送信されるべきダウンリンクデータである場合と、
通信ユニット８０１が端末によって送信されたＳＲを受信する場合であって、第１の付与情報は、送信されるべきアップリンクデータに対して初期伝送付与を実行するために用いられる場合と、
通信ユニット８０１によって維持される端末のバッファ状態レポート（ＢＳＲ）が非空である場合であって、第１の付与情報は、端末のバッファにおいて、送信されるべきアップリンクデータに対して初期伝送付与を実行するために用いられる場合と、
通信ユニット８０１が端末が送信されるべきアップリンクデータを有する予定であると予測した場合であって、第１のデータは空であり、第２のデータは、予測された送信されるべきアップリンクデータである場合と、
を含む。
【０１３５】
任意に、決定ユニット８０２は、タイミング関係に従って再送アクティブ時間を決定するように構成される。
【０１３６】
任意に、第１の付与情報は、第１のデータに対してアップリンク初期伝送付与を実行するために用いられ、再送アクティブ時間はアップリンク再送アクティブ時間を含む。アップリンク再送アクティブ時間は、端末が第１のデータのアップリンク再送付与を受信する予定であるアクティブ時間である。
【０１３７】
任意に、通信ユニット８０１は更に、
第１の付与情報を送信した後、第２の付与情報を送信する前に、第１の付与情報に従って、端末によって送信された第１のデータを受信するように構成され、
更に、アップリンク再送アクティブ時間においてフィードバック情報を送信するように構成される。フィードバック情報は、ＲＡＮデバイスによる第１のデータの受信状況をフィードバックするために用いられ、フィードバック情報はＡＣＫである。
【０１３８】
任意に、第１の付与情報は、第１のデータに対してダウンリンク初期伝送付与を実行するために用いられ、再送アクティブ時間はダウンリンク再送アクティブ時間を含む。ダウンリンク再送アクティブ時間は、端末が第１のデータのダウンリンク再送付与を受信する予定であるアクティブ時間である。
【０１３９】
任意に、通信ユニット８０１は更に、
ＲＡＮデバイスが第２の付与情報を送信する前、ダウンリンク再送アクティブ時間において、端末に第１のデータを送信するように構成され、
端末によって送信されたフィードバック情報を受信するように構成される。フィードバック情報は、端末による第１のデータの受信状況をフィードバックするために用いられ、フィードバック情報はＮＡＣＫである。
【０１４０】
任意に、ダウンリンク再送アクティブ時間は、ＤＲＸ再送タイマー（drx-Retransmission  Timer）に従って決定される。
【０１４１】
任意に、アクティベーション延長時間は、ＤＲＸ非アクティブタイマー（drx-Inactivity  Timer）に従って決定される。
【０１４２】
なお、本実施形態における通信ユニットは、ＲＡＮデバイスの送受信装置によって実現されてよい。決定ユニットは、個別に配置されたプロセッサであってもよいし、実装のためにＲＡＮデバイスのプロセッサに統合されてもよいし、上述の決定ユニットの機能を実行するためにＲＡＮデバイスのプロセッサによって呼び出されるプログラムコードの形式でＲＡＮデバイスのメモリに記憶されてもよい。
加えて、付与情報、フィードバック情報などの生成は、ＲＡＮデバイスのプロセッサによって完了されてよい。該プロセッサと決定ユニットを実現するプロセッサは、同一のプロセッサであってもよいし、異なるプロセッサであってもよい。ここで記載されるプロセッサは、中央演算処理装置（Central  Processing  Unit，ＣＰＵ）、特定用途向け集積回路（Application  Specific  Integrated  Circuit，ＡＳＩＣ）、或いは、本発明の本実施形態を実現するように構成される１つ以上の集積回路であってよい。
【０１４３】
上述の実施形態に基づき、本発明の実施形態は更に端末を提供する。端末は、図３に対応する実施形態で提供される方法を用いることができ、図７に示される端末と同じ装置であってよい。図９を参照する。端末９００は、トランシーバ９０１、プロセッサ９０２、バス９０３及びメモリ９０４を備える。
【０１４４】
トランシーバ９０１、プロセッサ９０２及びメモリ９０４は、バス９０３を用いて相互に接続される。バス９０３は、周辺コンポーネント相互接続（Peripheral  Component、ＰＣＩ）バス、拡張業界標準アーキテクチャ（Extended  Industry  Standard  Architecture、ＥＩＳＡ）バスなどであってよい。バスは、アドレスバス、データバス、制御バスなどに分類されてよい。表示を容易にするために、図９において１本の太線のみが表示に用いられているが、１つのバス又は１種類のバスしか存在しないことを示すものではない。
【０１４５】
トランシーバ９０１はＲＡＮデバイスと通信するように構成され、例えば、ＲＡＮデバイスによって送信された付与情報を送信し、ＲＡＮデバイスによって送信されたデータ及びフィードバック情報を受信し、データやフィードバック情報等をＲＡＮデバイスに送信するように構成される。
【０１４６】
プロセッサ９０２は、図３に示される本発明の実施形態におけるデータ伝送方法を実現するように構成される。該方法は、
ＤＲＸアクティブ期間において、無線アクセスネットワーク（ＲＡＮ）デバイスによって送信された第１の付与情報を受信するステップであって、第１の付与情報は、第１のデータに対して初期伝送付与を実行するために用いられる、ステップと、
再送アクティブ時間において、ＲＡＮデバイスによって送信された第２の付与情報を受信するステップであって、第２の付与情報は、第２のデータに対して初期伝送付与を実行するために用いられ、再送アクティブ時間は、端末９００が第１のデータに対する再送付与を受信する予定であるアクティブ時間である、ステップと、
第２の付与情報の受信の後のアクティベーション延長時間において、アクティブ状態を維持するステップと、
を含む。
【０１４７】
なお、再送アクティブ時間、第１のデータ及び第２のデータの説明は、上述の方法実施形態の場合と同様である。
【０１４８】
任意に、第１のデータは空である。
【０１４９】
任意に、第１の付与情報は、第１のデータに対してアップリンク初期伝送付与を実行するために用いられ、再送アクティブ時間はアップリンク再送アクティブ時間を含む。アップリンク再送アクティブ時間は、端末９００が第１のデータに対してアップリンク再送付与を受信する予定であるアクティブ時間である。
【０１５０】
任意に、プロセッサ９０２がＲＡＮデバイスによって送信された第１の付与情報を受信した後、プロセッサ９０２がＲＡＮデバイスによって送信された第２の付与情報を受信する前に、本方法は更に、
プロセッサ９０２が、第１の付与情報に従って、ＲＡＮデバイスに第１のデータを送信するステップと、
更に、プロセッサ９０２がアップリンク再送アクティブ時間において、ＲＡＮデバイスによって送信されたフィードバック情報を受信するステップであって、フィードバック情報は、ＲＡＮデバイスによる第１のデータの受信状況をフィードバックするために用いられ、フィードバック情報はＡＣＫである、ステップと、
を含む。
【０１５１】
任意に、第１の付与情報は、第１のデータに対してダウンリンク初期伝送付与を実行するために用いられ、再送アクティブ時間はダウンリンク再送アクティブ時間を含む。ダウンリンク再送アクティブ時間は、端末９００が第１のデータに対してダウンリンク再送付与を受信する予定であるアクティブ時間である。
【０１５２】
任意に、プロセッサ９０２がＲＡＮデバイスによって送信された第１の付与情報を受信した後、プロセッサ９０２がＲＡＮデバイスによって送信された第２の付与情報を受信する前に、本方法は更に、
プロセッサ９０２が、ＲＡＮデバイスによって送信された第１のデータを受信するステップと、
プロセッサ９０２が、ＲＡＮデバイスにフィードバック情報を送信するステップと、フィードバック情報は、プロセッサ９０２による第１のデータの受信状況をフィードバックするために用いられ、フィードバック情報はＮＡＣＫである、ステップと、を含む。
【０１５３】
任意に、ダウンリンク再送アクティブ時間は、ＤＲＸ再送タイマー（drx-Retransmission  Timer）に従って決定される。
【０１５４】
任意に、アクティベーション延長時間は、ＤＲＸ非アクティブタイマー（drx-Inactivity  Timer）に従って決定される。
【０１５５】
端末９００は更に、プログラム等を記憶するように構成されるメモリ９０４を備える。具体的には、プログラムはプログラムコードを含んでよく、プログラムコードはコンピュータ動作命令を含む。メモリ９０４は、ランダムアクセスメモリ（random  access  memory，ＲＡＭ）を含んでもよいし、不揮発性メモリ（non-volatile  memory）、例えば少なくとも１つの磁気ディスクメモリを含んでもよい。プロセッサ９０２は、メモリ９０４に記憶されたアプリケーションプログラムを実行して、上述のデータ伝送方法を実現する。
【０１５６】
上述の実施形態に基づき、本発明の実施形態は更にＲＡＮデバイスを提供する。ＲＡＮデバイスは、図４に対応する実施形態において提供される方法を用いてよく、図８に示されるＲＡＮデバイスと同じデバイスであってよい。図１０を参照する。ＲＡＮデバイス１０００は、トランシーバ１００１、プロセッサ１００２、バス１００３及びメモリ１００４を備える。
【０１５７】
トランシーバ１００１、プロセッサ１００２及びメモリ１００４は、バス１００３を用いて相互に接続される。バス１００３は、周辺コンポーネント相互接続（Peripheral  Component、ＰＣＩ）バス、拡張業界標準アーキテクチャ（Extended  Industry  Standard  Architecture、ＥＩＳＡ）バスなどであってよい。バスは、アドレスバス、データバス、制御バスなどに分類されてよい。表示を容易にするために、図１０において１本の太線のみが表示に用いられているが、１つのバス又は１種類のバスしか存在しないことを示すものではない。
【０１５８】
トランシーバ１００１は端末と通信するように構成され、例えば、端末に付与情報を送信し、端末によって送信されたデータ及びフィードバック情報を受信し、データ又はフィードバック情報を端末に送信するように構成される。
【０１５９】
プロセッサ１００２は、図４に示される本発明の実施形態におけるデータ伝送方法を実現するように構成される。該方法は、
ＤＲＸアクティブ期間において端末に第１の付与情報を送信するステップであって、第１の付与情報は、第１のデータに対して初期伝送付与を実行するために用いられる、ステップと、
再送アクティブ時間を決定するステップであって、再送アクティブ時間は、端末が第１のデータの再送付与を受信する予定であるアクティブ時間である、ステップと、
再送アクティブ時間において端末に第２の付与情報を送信するステップであって、第２の付与情報は、第２のデータに対して初期伝送付与を実行するために用いられる、ステップと、
を含む。
【０１６０】
なお、再送アクティブ時間、第１のデータ及び第２のデータの説明は、上述の方法実施形態の場合と同様である。
【０１６１】
任意に、第１の付与情報を端末に送信するステップは、
プロセッサ１００２が、送信されるべきダウンリンクデータを有するとき、端末に第１の付与情報を送信するステップであって、第１の付与情報は、送信されるべきダウンリンクデータに対して初期伝送付与を実行するために用いられる、ステップと、
プロセッサ１００２が、ダウンリンクデータが送信されることを予測したとき、端末に第１の付与情報を送信するステップであって、第１のデータは空であり、第２のデータは予測された送信されるべきダウンリンクデータである、ステップと、
プロセッサ１００２が、端末によって送信されたＳＲを受信したとき、端末に第１の付与情報を送信するステップであって、第１の付与情報は、送信されるべきアップリンクデータに対して初期伝送付与を実行するために用いられる、ステップと、
プロセッサ１００２が、プロセッサ１００２によって維持される端末のＢＳＲが非空であるとき、端末に第１の付与情報を送信するステップであって、第１の付与情報は、端末のバッファにおいて、送信されるべきアップリンクデータに対して初期伝送付与を実行するために用いられる、ステップと、
プロセッサ１００２が、端末が送信されるべきアップリンクデータを有する予定であることを予測するとき、端末に第１の付与情報を送信するステップであって、第１のデータは空であり、第２のデータは予測された送信されるべきアップリンクデータである、ステップと、
のうち１つ又は任意の組合わせを含む。
【０１６２】
任意に、プロセッサ１００２は、タイミング関係に従って再送アクティブ時間を決定する。
【０１６３】
任意に、第１の付与情報は、第１のデータに対してアップリンク初期伝送付与を実行するために用いられ、再送アクティブ時間はアップリンク再送アクティブ時間を含む。アップリンク再送アクティブ時間は、端末が第１のデータのアップリンク再送付与を受信する予定であるアクティブ時間である。
【０１６４】
任意に、プロセッサ１００２が第１の付与情報を送信した後、プロセッサ１００２が第２の付与情報を送信する前に、本方法は更に、
第１の付与情報に従って、端末によって送信された第１のデータを受信するステップと、
更に、プロセッサ１００２が、アップリンク再送アクティブ時間においてフィードバック情報を送信するステップであって、フィードバック情報は、プロセッサ１００２による第１のデータの受信状況をフィードバックするために用いられ、フィードバック情報はＡＣＫである、ステップと、
を含む。
【０１６５】
任意に、第１の付与情報は、第１のデータに対してダウンリンク初期伝送付与を実行するために用いられ、再送アクティブ時間はダウンリンク再送アクティブ時間を含む。ダウンリンク再送アクティブ時間は、端末が第１のデータのダウンリンク再送付与を受信する予定であるアクティブ時間である。
【０１６６】
任意に、プロセッサ１００２が第２の付与情報を送信する前に、本方法は更に、
更に、プロセッサ１００２が、ダウンリンク再送アクティブ時間において、端末に第１のデータを送信するステップと、
プロセッサ１００２が、端末によって送信されたフィードバック情報を受信するステップであって、フィードバック情報は、端末による第１のデータの受信状況をフィードバックするために用いられ、フィードバック情報はＮＡＣＫである、ステップと、
を含む。
【０１６７】
任意に、ダウンリンク再送アクティブ時間は、ＤＲＸ再送タイマー（drx-Retransmission  Timer）に従って決定される。
【０１６８】
任意に、アクティベーション延長時間は、ＤＲＸ非アクティブタイマー（drx-Inactivity  Timer）に従って決定される。
【０１６９】
ＲＡＮデバイス１０００は更に、プログラム等を記憶するように構成されるメモリ１００４を備える。具体的には、プログラムはプログラムコードを含んでよく、プログラムコードはコンピュータ動作命令を含む。メモリ１００４は、ランダムアクセスメモリ（random  access  memory，ＲＡＭ）を含んでもよいし、不揮発性メモリ（non-volatile  memory）、例えば少なくとも１つの磁気ディスクメモリを含んでもよい。プロセッサ１００２は、メモリ１００４に記憶されたアプリケーションプログラムを実行して、上述のデータ伝送方法を実現する。
【０１７０】
結論として、本発明の実施形態で提供されるデータ伝送方法、端末及びＲＡＮデバイスによれば、本方法は、ＲＡＮデバイスがＤＲＸアクティブ期間において、第１のデータに対して初期伝送付与を実行するために用いられる第１の付与情報を端末に送信するステップと、端末が第１のデータに対する再送付与を受信することを予定する再送アクティブ時間において、第２のデータに対して初期伝送付与を実行するために用いられる第２の付与情報を端末に送信するステップと、ＲＡＮデバイス及び端末が、第２の付与情報の送信の後のアクティベーション延長時間においてアクティブ状態を維持するステップと、である。初期伝送付与は、アップリンク初期伝送付与又はダウンリンク初期伝送付与であってよい。このように、ＲＡＮデバイスは、アップリンク再送アクティブ時間又はダウンリンク再送アクティブ時間を用いて初期伝送を実行して、アクティブ時間を延長することができる。よって、ＤＲＸ技術の使用が保証されるだけでなく、遅延の影響を低減することもできる。特に、ＤＲＸパラメータに構成されたアクティブ期間が比較的短いとき、ＤＲＸ技術を用いることにより、音声性能が向上し、端末の省電力性能が保証されるので、ユーザエクスペリエンスが向上する。
【０１７１】
本発明のいくつかの好ましい実施形態が説明されたが、当業者であれば、基本的な発明概念を学ぶと、これらの実施形態に変更及び修正を行うことができるであろう。したがって、以下の特許請求の範囲は、本発明の範囲に包含される好適な実施形態と全ての変更及び修正をカバーするように解釈されることが意図される。
【０１７２】
当然ながら、当業者であれば、本発明の実施形態の趣旨及び範囲から逸脱することなく、本発明の実施形態に様々な修正及び変形を加えることができる。本発明は、添付の特許請求の範囲及びそれらの等価な技術によって規定される保護の範囲に包含される限り、これらの修正及び変形をカバーすることが意図される。
【図１】
0006646738.tif 000002
【図２】
0006646738.tif 000003
【図３】
0006646738.tif 000004
【図４】
0006646738.tif 000005
【図５】
0006646738.tif 000006
【図６】
0006646738.tif 000007
【図７】
0006646738.tif 000008
【図８】
0006646738.tif 000009
【図９】
0006646738.tif 000010
【図１０】
0006646738.tif 000011